(57)【要約】  本発明は、タップ変圧器の異なる巻線タップ間で連続的に切換るための負荷時タップ切換器に関する。本発明の共通の思想は、負荷時切換スイッチと直接その下方に接続しているセレクタから成る負荷時タップ切換器のこれまでの静力学的構造をやめて、負荷時切換スイッチとセレクタの両組立群の空間的分離をもたらすことにある。
2013537717.tif 000002
【特許請求の範囲】
【請求項１】
タップ変圧器の調節巻線の異なる巻線タップ間で連続的に切換るための負荷時タップ切換器であって、
この負荷時タップ切換器が、切換えられるべきである、タップ変圧器の各巻線タップを導線の無い予備選択のための少なくとも一つのセレクタと、
装着した巻線タップを新たな、予備選択された巻線タップに連続的に切換えるための負荷切換スイッチを備えた負荷時タップ切換器において、
少なくとも一つのセレクタ（５）と負荷切換スイッチ（４）が、空間的に互いに分離して配置されていることを特徴とする負荷時タップ切換器。
【請求項２】
少なくとも一つのセレクタ（５）が、タップ変圧器の変圧器タンク（１）内に配置されていることを特徴とする請求項１記載の負荷時タップ切換器。
【請求項３】
少なくとも一つのセレクタ（５）が、タップ変圧器の調節巻線の各巻線タップ（８）の直接の空間的近くに配置されていることを特徴とする請求項１または２に記載の負荷時タップ切換器。
【請求項４】
少なくとも一つのセレクタ（５）と負荷切換スイッチ（４）が、共通のリンク装置（３）を介して駆動可能であることを特徴とする請求項１〜３のいずれか一つに記載の負荷時タップ切換器。
【請求項５】
リンク装置（３）が、側方の壁部を通って変圧器タンク（１）内に案内されており、少なくとも一部が変圧器タンク内で延びていることを特徴とする請求項１〜４のいずれか一つに記載の負荷時タップ切換器。
【請求項６】
少なくとも一つのセレクタ（５）と負荷切換スイッチ（４）が、リニアモータあるいはトルクモータにより操作可能であることを特徴とする請求項１〜５のいずれか一つに記載の負荷時タップ切換器。
【請求項７】
複数のセレクタ（５）が、同一に構成されていることを特徴とする請求項１〜６のいずれか一つに記載の負荷時タップ切換器。
【発明の詳細な説明】
【技術分野】
【０００１】
本発明は、請求項１の上位概念によるタップ変圧器の異なる巻線タップ間で連続的に切換るための負荷時タップ切換器に関する。
【背景技術】
【０００２】
負荷時タップ切換器は、タップ変圧器の異なる巻線タップ間で連続的に切換るために、さらに電圧を調整するために使用されることで知られている。負荷時タップ切換器は、切換えねばならない、タップ変圧器のその巻線タップを導線の無い予備選択のためのセレクタ、ならびに従来スイッチを装着した巻線タップを新たな、予備選択された巻線タップに本来の連続的に切換えるための負荷切換スイッチから成るのが一般的である。この目的で、負荷切換スイッチは、このような連続的な高速の切換のために必要な構成部材、特に、エネルギー蓄積装置、駆動軸、開閉接点（これは機械式開閉接点、真空切換セルあるいはサイリスタであってもよい）、ならびに切換経過毎において所定の切換シーケンスにおいて切換接点を操作するための手段を備えている。
【０００３】
さらに公知の負荷切換スイッチは一般的に、通常閉じた絶縁材料シリンダの形式で、固有の油容器を備えており、この容器内には変圧器を取囲む油から分離された状態で先に挙げた構成部材がすべて設けられている。負荷切換スイッチの下方に直接であるが、変圧器油内において、歯車を介して負荷切換スイッチの中央の駆動軸と接続しているセレクタが設けられている。負荷切換スイッチの中央の駆動軸は、変圧器タンクの外側に配置されたモータ駆動装置を介して駆動され、この駆動装置は同様に変圧器タンクで外側に沿って案内されるリンク装置を用いてエネルギー蓄積装置をゆっくりと持ち上げ、その際に同時にセレクタも操作する。それにより、中央の駆動軸は、真の高速切換時に負荷切換スイッチの切換接点の操作をするとともに、エネルギー蓄積装置のゆっくりとした持上げ経過時に負荷切換スイッチの下方に直接配置されたセレクタも操作する役割を担っている。
【０００４】
このような負荷時タップ切換器は、市場で１０年来構築された製品であり、例えば出願人の“電圧調整変圧器のための負荷時タップ切換器Ｏｉｌｔａｐ（登録商標）Ｍ”の会社出版物から公知である。会社出版物の第１頁には、本発明に類するような負荷時タップ切換器が示してあり、この負荷時タップ切換器は上方の領域内で、絶縁シリンダの内部に負荷切換スイッチを備えており、かつそれに直接接続するように、ギアを介して負荷切換スイッチの駆動軸と接続したセレクタを備えている。エネルギー蓄積装置と、リンク装置を用いてエネルギー蓄積装置と接続しているモータ駆動装置は、この図には示されていない。
【０００５】
しかし、従来技術における、この記載され、かつ１０年来機能している構造は、変圧器とっては場所をとる。その理由は、この構造が変圧器タンクの内部に相対的に大きな構造空間を占め、それにより場所的に制限された変圧器タンク内に実際の変圧器を設計する際の変圧器設計者の自由度を制限してしまうことにある。従って結局のところ、負荷時タップ切換器を配置する場所に関して、変圧器タンクの内部の相対的に大きな空間は空いたままにしておかねばならないので、この空間はそのために自在には構成可能ではなく、負荷時切換スイッチとそれに直接下方に配置されたセレクタから成る、従来技術から知られた負荷時タップ切換器の構造によりほぼ決まっている。
【０００６】
この場合、出願人の“ＴｙｐＧ”の会社出版物には、構成、すなわちタップ切換器と電圧調整変圧器の組合せにおける本発明に類するような負荷時タップ切換器の特徴的な配設が示してある。タイトルページから明白であるように、このような負荷時タップ切換器、従って負荷時切換スイッチとこの負荷時切換スイッチに属したセレクタは、変圧器タンクの内部の変圧器の個別の巻線に対して、かつ変圧器ケーシングの内壁部に対して特定の絶縁距離をおいて配置されている。その際に、負荷時切換スイッチと直接その下方に接続しているセレクタから成る負荷時タップ切換器に加えて、要求に対して各セレクタ接点に対する変圧器の調整巻線の相応する巻線タップの、個別の絶縁された銅の導線の取付は、変圧器内部の基本的な所要面積を必要とする。しかし、変圧器の能動部分に誘導フレームにより固定された導線案内部は、その取付に手間がかかるのではなく、必要な電気的に導通する銅の特性に基づいて製造され、それによってかなり費用がかさむ。
【発明の概要】
【発明が解決しようとする課題】
【０００７】
本発明の課題は、変圧器の製造者に負荷時タップ切換器の変圧器の自在なレイアウトを可能にし、さらに誘導フレームともども、手間がかかり、かつ費用がかさむ接続導線を不必要にする、冒頭部で挙げた様式の負荷時タップ切換器を提供することにある。
【課題を解決するための手段】
【０００８】
この課題は、請求項１の特徴を備えたタップ切換器により解決される。この場合、従属請求項は本発明の特に好ましい別の形態に関する。
【０００９】
共通して必要な思想は、セレクタをこの場合、タップ変圧器の調整巻線の巻線タップのできるだけ近くに配置することにより、負荷時切換スイッチと直接その下方に接続しているセレクタから成る負荷時タップ切換器のこれまでの静力学的構造をやめて、負荷時切換スイッチとセレクタの両組立群の空間的分離をもたらすことにある。それにより、セレクタの相応する接続接点とタップ変圧器の調整巻線の巻線タップの間の接続導線は最小値まで短くなり、特にこれにより、手間がかかり、かつ費用がかさむ接続導線は誘導フレームともども無くなる。
【００１０】
本発明の好ましい実施形態によれば、少なくとも一つのセレクタは、変圧器の調整巻線の巻線タップに直接位置決めされており、すなわちその分岐部に配置されている。それにより、変圧器タンク内部のセレクタのためのこれまで設けられた構造空間をなくすことができ、セレクタをこの構造空間の代わりに、いずれにしても分岐部の構造空間内で変圧器巻線の調整巻線の巻線タップに直接位置決めすることにより、変圧器タンク内の負荷時切換スイッチとセレクタの両組立群の空間的分離は場所を提供する。
【００１１】
本発明の別の好ましい実施形態によれば、モータ駆動装置を負荷時切換スイッチのエネルギー蓄積装置と接続するリンク装置は、変圧器タンクの内部で負荷時切換スイッチからセレクタへとさらに案内され、それにより特別に簡単な方法でセレクタを駆動するのに役立つ。
【００１２】
本発明のさらに別の実施形態によれば、この場合、リンク装置は、もはやこれまでのように変圧器タンクの外側でその上側に沿って案内されず、そこでまず負荷時タップ切換器のエネルギー蓄積装置と接続されず、変圧器タンクの側方の壁部により接続される。
【００１３】
本発明のさらに別の好ましい実施形態によれば、負荷時切換スイッチと少なくとも一つのセレクタは、例えばモータで動く直流駆動装置の形式で、各々特別な駆動装置により操作される。この駆動装置は、負荷時切換スイッチに至る、費用のかかるリンク装置ともどもこれまで機能的に必要だった中央のモータ駆動装置を無くし、かつ負荷時切換スイッチあるいは少なくとも一つのセレクタの上方または下方に直接配置することができる。
【００１４】
本発明を以下に図を基にしてさらに模範的に詳しく説明する。
【図面の簡単な説明】
【００１５】
【図１】空間的に分離された負荷切換スイッチとセレクタを備えた、本発明による負荷時タップ切換器の概略図である。
【発明を実施するための形態】
【実施例】
【００１６】
図１には変圧器タンク１が示してあり、その内部にはクロスビーム７が設けられており、このクロスビームには、基本巻線と、巻線タップ８を備えた調整巻線を含む少なくともひとつの巻線が配置されている。さらに、変圧器タンク１の外側の側方の壁部には、モータ駆動装置２が設けられており、このモータ駆動装置はリンク装置３を介して変圧器タンク１の内部に配置された負荷切換スイッチ４および少なくとも一つのセレクタ５に作用接続している。図１においてかなり抽象的な形式で示した負荷切換スイッチ４は、出願人の“電圧調整変圧器のための負荷時タップ切換器Ｏｉｌｔａｐ（登録商標）Ｍ”のすでに挙げた会社出版物から知られた負荷切換スイッチ４である。この負荷切換スイッチ４は、導線６を介して相応するセレクタ５と電気的に接続している。本発明によれば、少なくとも一つのセレクタ５は、変圧器の調整巻線の巻線タップ８に直接位置決めされており、それにより、セレクタの相応する接続接点とタップ変圧器の調整巻線の個別の巻線タップ８の間の接続導線は最小値まで短くなる。特に、本発明の解決手段によれば、取付けにおいて手間がかかり、さらに費用がかさむ、接続導線は誘導フレームともども無くなる。唯一のモータ駆動装置２を介して中心部で駆動されるリンク装置３は、負荷切換スイッチ４とも、少なくとも一つのセレクタ５とも作用接続するように構成されている。
【図１】
2013537717.tif 000003
【国際調査報告】
2013537717.tif 000004
2013537717.tif 000005
2013537717.tif 000006
2013537717.tif 000007
2013537717.tif 000008
2013537717.tif 000009
2013537717.tif 000010
2013537717.tif 000011